(57)【要約】【課題】  デジタルカメラからのダイレクト印刷機能を持つ印刷装置において、印刷装置上に印刷イメージ確認のための液晶パネルなどの表示装置を設ける必要を無くす。【解決手段】  印刷装置に接続されたデジタルカメラから画像データを受信する手段と、前記デジタルカメラから受信した画像データを前記機器からの指示あるいは前記印刷装置上に設けられたパネルあるいはあらかじめ指定された情報に基づき印刷用に加工する手段と、加工した結果の画像データを前記デジタルカメラに転送する転送手段とを有する構成を採用した印刷装置と、印刷装置から転送される画像データを受信する手段と、受信した画像データを前記デジタルカメラ上に設けられた画像表示部に表示する手段とを有する構成。【選択図】        図１
2005057512.tif 000002
【特許請求の範囲】
【請求項１】
デジタルカメラからのダイレクト印刷機能を持つ印刷装置において、前記印刷装置に接続されたデジタルカメラから画像データを受信する手段と、前記デジタルカメラから受信した画像データを前記デジタルカメラからの指示あるいは前記印刷装置上に設けられたパネルあるいはあらかじめ指定された情報に基づき印刷用に加工する手段と、加工した結果の画像データを前記デジタルカメラに送信する送信手段とを有することを特徴とする印刷装置。
【請求項２】
請求項１の印刷装置と接続されるデジタルカメラにおいて、印刷装置から送信される画像データを受信する手段と、受信した画像データを前記デジタルカメラ上に設けられた画像表示部に表示する手段とを有することを特徴とするデジタルカメラ。
【発明の詳細な説明】
【技術分野】
【０００１】
本発明はＰＣを介さないデジタルカメラからのダイレクト印刷機能を持つ印刷装置およびデジタルカメラに関するものである。
【背景技術】
【０００２】
従来のデジタルカメラからのダイレクト印刷機能を持った印刷装置では、接続されたデジタルカメラから画像データ受け取って印刷用に加工した印刷イメージの確認には、印刷装置上に設けられたパネルあるいは印刷装置に接続されたＴＶなどを用いていた。例えば、特許文献１の図４にはビューワを備えた記録装置が開示されている。ビューワ１０１１はコネクタ３００６を介して記録装置と収集のデータのやり取りを行うと共に、画像データの表示をする構成となっている。
【特許文献１】特開２００３−２００６２１号公報
【発明の開示】
【発明が解決しようとする課題】
【０００３】
従来の技術では、ダイレクト印刷機能を持つ印刷装置は、画像データを表示するためには、液晶パネルなどの高価な装置を内蔵あるいは外付けあるいはＴＶ出力機能を持つ必要があった。
【０００４】
液晶パネルを内蔵あるいは外付する場合には、印刷装置の価格に大きな影響があり、また、小型印刷装置の場合には、液晶パネルの大きさから、それを内蔵するのにデザイン上や設計上の観点から非常な困難があった。
【０００５】
また、画像データをＴＶ出力する場合は、印刷装置をＴＶのそばに設置せねばならず、配置や、印刷装置自身を外部に持ち出すなどの点から考えると難があった。
【０００６】
本発明は、以上の点に着目して成されたもので、デジタルカメラからのダイレクト印刷機能を持つ印刷装置において、印刷装置上に印刷イメージ確認のための液晶パネルなどの表示装置を設ける必要を無くす印刷装置およびデジタルカメラを提供することを目的とする。
【課題を解決するための手段】
【０００７】
以上の課題を解決するために、本発明においては、印刷装置に接続されたデジタルカメラから画像データを受信する手段と、前記デジタルカメラから受信した画像データを前記機器からの指示あるいは前記印刷装置上に設けられたパネルあるいはあらかじめ指定された情報に基づき印刷用に加工する手段と、加工した結果の画像データを前記デジタルカメラに転送する転送手段とを有する構成を採用した印刷装置と、印刷装置から転送される画像データを受信する手段と、受信した画像データを前記デジタルカメラ上に設けられた画像表示部に表示する手段とを有する構成を採用したデジタルカメラを接続することとした。
【０００８】
なお、さらに詳細に説明すれば、本発明は下記の構成によって前記課題を解決できた。
【０００９】
（１）デジタルカメラからのダイレクト印刷機能を持つ印刷装置において、前記印刷装置に接続されたデジタルカメラから画像データを受信する手段と、前記デジタルカメラから受信した画像データを前記デジタルカメラからの指示あるいは前記印刷装置上に設けられたパネルあるいはあらかじめ指定された情報に基づき印刷用に加工する手段と、加工した結果の画像データを前記デジタルカメラに送信する送信手段とを有することを特徴とする印刷装置。
【００１０】
（２）前記（１）の印刷装置と接続されるデジタルカメラにおいて、印刷装置から送信される画像データを受信する手段と、受信した画像データを前記デジタルカメラ上に設けられた画像表示部に表示する手段とを有することを特徴とするデジタルカメラ。
【００１１】
［作用］
以上の構成によれば、印刷イメージとして加工した画像データを、印刷装置に接続されたデジタルカメラ上に表示することができるので、印刷装置上に液晶パネルなどの表示装置を設ける必要が無くなり、デザイン的、スペース的、コスト的に有利となる。
【発明の効果】
【００１２】
以上から明らかなように、本発明によれば、印刷イメージとして加工した画像データを、印刷装置に接続されたデジタルカメラ上に表示することができるので、印刷装置上に液晶パネルなどの表示装置を設ける必要が無くなり、デザイン的、スペース的、コスト的に有利となる。
【発明を実施するための最良の形態】
【００１３】
以下本発明を実施するための最良の形態を、実施例により詳しく説明する。
【実施例１】
【００１４】
以下、図面に示す実施例に基づき、本実施例を詳細に説明する。
【００１５】
本発明を採用した典型的な印刷装置は、図１に示すように、印字機構１、画像展開手段２、操作パネル３、画像加工手段４、画像データ受信手段５、画像データ送信手段６および外部Ｉ／Ｆ  ７から構成される。
【００１６】
また、本発明を採用した典型的なデジタルカメラは、図１に示すように、撮像機構８、画像データ送信手段１０、画像データ受信手段１２、画像展開手段１３、表示機構９および外部Ｉ／Ｆ  １１から構成される。
【００１７】
印刷装置とデジタルカメラは、図１に示すように、外部Ｉ／Ｆを通じて有線あるいは無線の形で論理的に接続されている。
【００１８】
図２は、本実施例における図１の印刷装置の動作を示すフローチャート図である。
【００１９】
図３は、本実施例における図１のデジタルカメラの動作を示すフローチャート図である。
【００２０】
図３において、まずデジタルカメラは、ダイレクト印刷を行うにあたり、ユーザの指示により撮影した画像データのうち印刷を行う画像を選択し（ステップＳ３０１）、あらかじめ定められた手段により外部Ｉ／Ｆを通じて通信を行い、選択した画像データを印刷装置に送信する（ステップＳ３０２）。その後、デジタルカメラは印刷装置からの応答待ちとなる（ステップＳ３０３）。
【００２１】
図２において、印刷装置はまずデジタルカメラからの受信待ち状態となっている（ステップＳ２０１）。外部Ｉ／Ｆからの割り込みが入ると、受信内容を確認して（ステップＳ２０２）、データが画像データであるか判断を行う（ステップＳ２０３）。データが画像データであれば画像データとして引き続き受信し（ステップＳ２０４）、画像データ保存用バッファに保存する（ステップＳ２０５）。
【００２２】
この時、印刷装置上に設けられたパネルによりユーザから、フレーム等の付加、画像補正、あるいはフィルタ等の指定による画像加工の指示があれば（ステップＳ２０６）、指示された方法により画像加工を行い（ステップＳ２０７）、画像データ保存用バッファに加工後の画像データを保存した後（ステップＳ２０８）、あらかじめ定められた手段により外部Ｉ／Ｆを通じて通信を行い、加工した画像データをデジタルカメラに送信する（ステップＳ２０９）。その後、印刷装置はデジタルカメラからの応答待ちとなる（ステップＳ２０１）。
【００２３】
図３において、デジタルカメラは印刷装置からの応答待ちとなった状態で（ステップＳ３０３）、外部Ｉ／Ｆからの割り込みが入ると、受信したデータの内容を確認して、データが画像データであるか判断を行う（ステップＳ３０４）。
【００２４】
データが画像データであれば画像データとして引き続き受信し（ステップＳ３０５）、画像データを表示用に展開し（ステップＳ３０６）、表示機構に送信して印刷装置にて加工後の画像の表示を行う（ステップＳ３０７）。
【００２５】
デジタルカメラはこの状態でユーザの指示を仰ぐ（ステップＳ３０８）。加工後の画像イメージで印刷ＯＫとユーザが判断し指示した場合には、デジタルカメラはあらかじめ定められた手段により外部Ｉ／Ｆを通じて通信を行い、印刷指示コマンドを印刷装置に送信する（ステップＳ３０９）。ＮＧとユーザが判断し指示した場合には、ダイレクト印刷処理を終了する。
【００２６】
図２において、印刷装置は画像データの送信後デジタルカメラからの応答待ちとなった状態で（ステップＳ２０１）、外部Ｉ／Ｆからの割り込みが入ると、受信したデータの内容を確認し、データが画像データでなければ（ステップＳ２０３）、画像の印刷指示コマンドであるか確認する（ステップＳ２１０）。印刷指示コマンドでなければ、受信データを無視して受信待ちに戻る。印刷指示コマンドであれば、画像保存用バッファの内容の確認を行う（ステップＳ２１１）。バッファに画像データが保存されていなければコマンドを無視して受信待ちに戻る。画像データが保存されていれば、バッファ内の画像データを印刷用に展開し（ステップＳ２１２）、印字機構に送信して印刷を行う（ステップＳ２１３）。
【００２７】
印刷終了後は、あらかじめ定められた手段により外部Ｉ／Ｆを通じて通信を行い、印刷終了Ｓｔａｔｕｓをデジタルカメラに送信する（ステップＳ２１４）。
【００２８】
ステップＳ２０６において画像加工の指示がない場合には、加工画像データをデジタルカメラに送信することなく、バッファ内に保存された画像データを直接展開し、印刷そしてデジタルカメラへの印刷終了Ｓｔａｔｕｓの送信を行う（ステップＳ２１２、Ｓ２１３、Ｓ２１４）。
【００２９】
図３において、デジタルカメラは印刷装置からの応答待ちとなった状態で（ステップＳ３０３）、外部Ｉ／Ｆからの割り込みが入ると、受信したデータの内容を確認し、データが印刷終了Ｓｔａｔｕｓであるか判断を行う（ステップＳ３１０）。
【００３０】
印刷終了Ｓｔａｔｕｓであれば、ダイレクト印刷処理を終了する。印刷終了Ｓｔａｔｕｓでなければ、データを無視し印刷終了Ｓｔａｔｕｓを待つ（ステップＳ３０３）。
【００３１】
このようにして、デジタルカメラからのダイレクト印刷において、デジタルカメラから受信した画像データを印刷装置上で加工した後、再度デジタルカメラに加工後の画像データを送信して表示させることにより、高価な液晶パネル等のない印刷装置を用いた場合でも、印刷の仕上がりを確認することができるようになる。
【実施例２】
【００３２】
以下、図面に示す実施例に基づき、本実施例を詳細に説明する。
【００３３】
本実施例においても、実施例１同様、図１に示す印刷装置およびデジタルカメラを用いる。
【００３４】
図４は、本実施例における図１の印刷装置の動作を示すフローチャート図である。
【００３５】
図５は、本実施例における図１のデジタルカメラの動作を示すフローチャート図である。
【００３６】
図５において、まずデジタルカメラは、ダイレクト印刷を行うにあたり、ユーザの指示により撮影した画像データのうち印刷を行う画像を選択し（ステップＳ５０１）、あらかじめ定められた手段により外部Ｉ／Ｆを通じて通信を行い、選択した画像データを印刷装置に送信する（ステップＳ５０２）。その後、デジタルカメラは印刷装置からの応答待ちとなる（ステップＳ５０３）。
【００３７】
図４において、印刷装置はまずデジタルカメラからの応答待ち状態となっている（ステップＳ４０１）。外部Ｉ／Ｆからの割り込みが入ると、受信したデータの内容を確認して（ステップＳ４０２）、データが画像データであるか判断を行う（ステップＳ４０３）。データが画像データであれば画像データとして引き続き受信し（ステップＳ４０４）、画像データ保存用バッファに保存する（ステップＳ４０５）。
【００３８】
この時、印刷装置上に設けられたパネルによりユーザから、フレーム等の付加、画像補正、あるいはフィルタ等の指定による画像加工の指示がある場合で（ステップＳ４０６）、その加工方法にいくつかの選択肢、例えば、付加するフレームの種類、画像補正の方法の指定あるいはフィルタ等の種類などがあれば（ステップＳ４０７）、その種類ごとに画像を加工し（例えば、フレームＡを付加した画像、フレームＢを付加した画像・・・と、選択できるフレームすべての加工画像を作成する）（ステップＳ４０８）、その後、その選択肢データ（例えば、フレーム付加＆データＡ、フレーム付加＆データＢ・・・）と加工結果の画像（例えば、フレームＡ付加画像、フレームＢ付加画像・・・）をあらかじめ定められた手段により外部Ｉ／Ｆを通じて通信を行い、デジタルカメラに送信する（ステップＳ４０９、Ｓ４１０）。
【００３９】
画像加工方法に選択肢がない場合であれば（ステップＳ４０７）、通常どおり指示された方法により画像加工を行い（ステップＳ４１１）、画像データ保存用バッファに加工後の画像データを保存した後（ステップＳ４１２）、画像データをデジタルカメラに送信する（ステップＳ４１０）。
【００４０】
その後、印刷装置はデジタルカメラからの応答待ちとなる（ステップＳ４０１）。
【００４１】
図５において、デジタルカメラは印刷装置からの応答待ちとなった状態で（ステップＳ５０３）、外部Ｉ／Ｆからの割り込みが入ると、受信したデータの内容を確認して、データが画像加工選択肢データであるか判断を行う（ステップＳ５０４）。
【００４２】
データが画像加工選択肢データであれば、すべての加工後の画像データを引き続き受信し（ステップＳ５０５）、画像データを表示用に展開し（ステップＳ５０６）、加工選択および加工後画像の組み合わせでデータを表示機構に送信して、表示を行う（ステップＳ５０７）。
【００４３】
デジタルカメラはこの状態でユーザの選択を仰ぐ（ステップＳ５０８）。その後、あらかじめ定められた手段により外部Ｉ／Ｆを通じて通信を行い、ユーザによって選択された加工選択指示をデータとして印刷装置に送信する（ステップＳ５０９）。その後、デジタルカメラは印刷装置からの応答待ちとなる（ステップＳ５０３）。
【００４４】
データが選択肢データでなく画像データの場合には（ステップＳ５１０）、画像データとして引き続き受信し（ステップＳ５１１）、画像データを表示用に展開し（ステップＳ５１２）、表示機構に送信して印刷装置にて加工後の画像の表示を行う（ステップＳ５１３）。
【００４５】
デジタルカメラはこの状態でユーザの指示を仰ぐ（ステップＳ５１４）。加工後の画像イメージで印刷ＯＫとユーザが判断し指示した場合には、デジタルカメラはあらかじめ定められた手段により外部Ｉ／Ｆを通じて通信を行い、印刷指示コマンドを印刷装置に送信する（ステップＳ５１５）。その後、デジタルカメラは印刷装置からの応答待ちとなる（ステップＳ５０３）。ＮＧとユーザが判断し指示した場合には、ダイレクト印刷処理を終了する。
【００４６】
図４において、印刷装置は画像データの送信後デジタルカメラからの応答待ちとなった状態で（ステップＳ４０１）、外部Ｉ／Ｆからの割り込みが入ると、受信したデータの内容を確認し、データが画像データでなければ（ステップＳ４０３）、画像の印刷指示コマンドであるか判断する（ステップＳ４１３）。印刷指示コマンドでなければ、受信データを無視して受信待ちに戻る。印刷指示コマンドであれば、画像保存用バッファの内容の確認を行う（ステップＳ４１４）。バッファに画像データが保存されていなければコマンドを無視して受信待ちに戻る。
【００４７】
画像データが保存されていれば、データが加工選択指示データであるか判断する（ステップＳ４１５）。加工選択指示データであれば、データの内容に従ってバッファ内の画像データを加工した後（ステップＳ４１６）、バッファ内の画像データを印刷用に展開して（ステップＳ４１７）、印字機構に送信して印刷を行う（ステップ（Ｓ４１８）。
【００４８】
印刷終了後は、あらかじめ定められた手段により外部Ｉ／Ｆを通じて通信を行い、印刷終了Ｓｔａｔｕｓをデジタルカメラに送信する（Ｓ４１９）。
【００４９】
ステップＳ４０６において画像加工の指示がない場合には、加工画像データをデジタルカメラに送信することなく、バッファ内に保存された画像データを直接展開し、印刷そしてデジタルカメラへの印刷終了Ｓｔａｔｕｓの送信を行う（ステップＳ４１７、Ｓ４１８、Ｓ４１９）。
【００５０】
図５において、デジタルカメラは印刷装置からの応答待ちとなった状態で（ステップＳ５０３）、外部Ｉ／Ｆからの割り込みが入ると、受信したデータの内容を確認し、データが印刷終了Ｓｔａｔｕｓであるか判断を行う（ステップＳ５１６）。
【００５１】
印刷終了Ｓｔａｔｕｓであれば、ダイレクト印刷処理を終了する。印刷終了Ｓｔａｔｕｓでなければ、データを無視し印刷終了Ｓｔａｔｕｓを待つ（ステップＳ５０３）。
【００５２】
このようにして、デジタルカメラからのダイレクト印刷において、デジタルカメラから送信された画像データに対して印刷装置上で選択できる加工方法すべてにおいて加工して、再度デジタルカメラに画像データを戻して表示させることにより、高価な液晶パネル等のない印刷装置を用いた場合でも、印刷の仕上がりのうち、もっともユーザの望むものを選択し、印刷することができるようになる。
【図面の簡単な説明】
【００５３】
【図１】本発明を採用した印刷装置およびデジタルカメラのブロック図である。
【図２】実施例１において、印刷装置の処理手順を示すフローチャート図である。
【図３】実施例１において、デジタルカメラの処理手順を示すフローチャート図である。
【図４】実施例２において、印刷装置の処理手順を示すフローチャート図である。
【図５】実施例２において、デジタルカメラの処理手順を示すフローチャート図である。
【符号の説明】
【００５４】
１  印字機構
２  画像展開手段
３  操作パネル
４  画像加工手段
５  画像データ受信手段
６  画像データ送信手段
７  外部Ｉ／Ｆ
８  撮像機構
９  表示機構
１０  画像データ送信手段
１１  外部Ｉ／Ｆ
１２  画像データ受信手段
１３  画像展開手段
【図１】
2005057512.tif 000003
【図２】
2005057512.tif 000004
【図３】
2005057512.tif 000005
【図４】
2005057512.tif 000006
【図５】
2005057512.tif 000007